(57)【要約】【課題】確実に振動を発生させることによって、振動受信側による警告発生ミスを防止することができる磁気マーカを提供する。【解決手段】磁気マーカ１０は、ケース１２の本体１２Ａ内に、アモルファス材料からなる湾曲した振動板１４と平面状の振動板１６が振動可能に収納されている。前記ケース１２の開口部側の主面には、電力遮蔽用シート１８と接着テープ２２に挟まれた低電力磁石２０が設けられている。前記低電力磁石２０は、アモルファス材料からなり、着磁及び消磁が可能となっている。前記磁気マーカ１０は、接着テープ２２の剥離紙２４を剥がして商品３０などに取り付けられる。以上のような構成の磁気マーカ１０は、前記低電力磁石２０が消磁されない限りは、２枚の振動板１４及び１６が振動するため、振動受信側による警報の発生を確実に促すことができる。【選択図】図１
2007133695.tif 000002
【特許請求の範囲】
【請求項１】
ケースの厚み方向に２段に配置されており、該ケース内で磁歪振動可能なアモルファス材料からなる第１及び第２の振動板，
該第１及び第２の振動板と略平行になるように、前記ケースの開口部側に電力遮蔽用シートを介して配置されており、着磁及び消磁が可能なアモルファス材料からなる平板状の低電力磁石，
前記電力遮蔽用シートとの間に前記低電力磁石を挟むとともに、前記開口部側のケース主面を覆う被覆シート，
を備えるとともに、
前記第１及び第２の振動板のうち、前記開口部側に配置される振動板が平面状であり、他方の振動板が湾曲した形状であることを特徴とする磁気マーカ。
【請求項２】
前記被覆シートが、両面に接着面を有する両面接着シートであることを特徴とする請求項１記載の磁気マーカ。
【請求項３】
前記第１及び第２の振動板が収納される部分のケース主面が、複数の凹凸形状を有することを特徴とする請求項１又は２記載の磁気マーカ。
【発明の詳細な説明】
【技術分野】
【０００１】
本発明は、物品の不正持ち出しなどを監視・警告するために用いられる磁気マーカに関するものである。
【背景技術】
【０００２】
小売店などからの商品の不正持ち出し（盗難など）を監視ないし警告するシステムとして、商品などに添付した磁気マーカ（ないし磁気標識）から発せられる振動を、出入口などに設けた警報器で受信し、警告を発するものがある。このようなシステムでは、商品の代金を支払った場合は、レジなどで磁気マーカが不活性化されるため、店外へ商品を持ち出しても警報が鳴ることはない。上述した磁気マーカとしては、例えば、以下の特許文献１の第１図に示すように、ハウジング内に、磁歪要素とバイアス要素を組み合わせた構造のものがある。
【特許文献１】特開平８−８７２３７号公報（第１図）
【発明の開示】
【発明が解決しようとする課題】
【０００３】
しかしながら、以上のような背景技術では、ハウジング内に収納される磁歪要素が一つに限られているため、振動が弱くて警報器などで受信できない場合がある。また、ハウジングが比較的軟質な場合は、外部からハウジングを指で押さえ付けることで強制的に振動を停止させられてしまう。このような理由で、警報器側で振動を確実に検出することができなくなると、商品などの不正持ち出し（盗難など）に対して警告をし損なうという不都合が生じる。
【０００４】
本発明は、以上の点に着目したもので、その目的は、確実に振動を発生させることによって、振動受信側による警告ミスを防止することができる磁気マーカを提供することである。
【課題を解決するための手段】
【０００５】
前記目的を達成するため、本発明は、ケースの厚み方向に２段に配置されており、該ケース内で磁歪振動可能なアモルファス材料からなる第１及び第２の振動板，該第１及び第２の振動板と略平行になるように、前記ケースの開口部側に電力遮蔽用シートを介して配置されており、着磁及び消磁が可能なアモルファス材料からなる平板状の低電力磁石，前記電力遮蔽用シートとの間に前記低電力磁石を挟むとともに、前記開口部側のケース主面を覆う被覆シート，を備えるとともに、前記第１及び第２の振動板のうち、前記開口部側に配置される振動板が平面状であり、他方の振動板が湾曲した形状であることを特徴とする。
【０００６】
主要な形態の一つは、前記被覆シートが、両面に接着面を有する両面接着シートであることを特徴とする。他の形態は、前記第１及び第２の振動板が収納される部分のケース主面が、複数の凹凸形状を有することを特徴とする。本発明の前記及び他の目的，特徴，利点は、以下の詳細な説明及び添付図面から明瞭になろう。
【発明の効果】
【０００７】
本発明は、ケース内に、アモルファス材料からなる２枚の振動板を振動可能に内蔵するとともに、これらを磁歪振動させるためのアモルファス材料からなる低電力磁石を設けることとしたので、前記低電力磁石が消磁されない限り確実に振動を発することができるという効果がある。また、必要に応じてケース主面に凹凸形状を設けることで強度が増し、外部からの圧力による強制的な振動停止を防止することができる。
【発明を実施するための最良の形態】
【０００８】
以下、本発明を実施するための最良の形態を、実施例に基づいて詳細に説明する。
【実施例１】
【０００９】
最初に、図１を参照しながら本発明の実施例１を説明する。図１(A)は本実施例の使用状態を示す外観斜視図，図１(B)は本実施例の分解斜視図，図１(C)は前記(A)を＃Ａ−＃Ａ線に沿って切断し矢印方向に見た断面図である。図１に示すように、本実施例の磁気マーカ１０は、商品３０などに貼り付けられ、該商品３０が、会計を済まさずに店舗などから不正に持ち出しされるのを監視するために利用されるものである。前記磁気マーカ１０は、ケース１２と、該ケース１２内に収納される一組の振動板１４及び１６と、電力遮蔽用シート１８，低電力磁石２０，接着テープ２２により構成されている。
【００１０】
前記ケース１２は、前記一組の振動板１４及び１６が振動可能に収納される本体１２Ａの縁に、平面部１２Ｂが設けられた形状となっている。なお、前記振動板１４及び１６は、ケース１２の厚み方向に略平行となるように２段に配置される。前記ケース１２は、前記本体１２Ａが指で押されたときに容易に凹むことがないような材質で形成されており、例えば、無停電材料であるＰＳ（Ｐｏｌｙｓｔｙｒｅｎｅ）などのプラスチップが用いられる。また、前記一組の振動板１４及び１６は、前記低電力磁石２０によって磁界が印加されると磁歪振動するアモルファス材料によって構成されており、いずれも厚さは１００μｍ程度である。前記アモルファス材料としては、例えば、鉄，コバルト，銅，ニオビウム，ホウ素，シリコンなどが利用可能である。また、上側に配置される振動板１４は、直径５０ｍｍ程度の円の一部を形成するような湾曲形状となっており、下側に配置される振動板１６は平面状となっている。仮に、振動板１４も平面状とすると、下側の振動板１６に接触ないし付着して、良好な警報音発生のための振動を妨げることになるが、図示のように湾曲形状とすることにより、そのような接触ないし付着を防止することができる。
【００１１】
また、前記電力遮蔽用シート１８と接着テープ２２は、低電力磁石２０を両面から挟むとともに、前記ケース１２の平面部１２Ｂに背面側から取り付けられる。前記低電力磁石２０としては、着磁と消磁が可能なアモルファスシートが利用され、その素材としては、前記振動板１４及び１６と同様のものが用いられる。前記電力遮蔽用シート１８は、前記低電力磁石２０を消磁する際に、前記振動板１４及び１６に電力が伝わらないように防ぐためのものであり、例えば、カーボンビニールなどが用いられる。また、電力遮蔽用シート１８は、前記ケース１２の平面部１２Ｂに超音波接着が可能となっている。前記接着テープ２２は、両面が接着面となっており、一方の接着面で前記低電力磁石２０を電力遮蔽用シート１８に接着するとともに、他方の接着面には剥離紙２４が設けられている。そして、前記剥離紙２４を剥がすことにより、商品３０などの表面に取り付けられる。なお、前記振動板１４及び１６は、前記低電力磁石２０がケース１２に取り付けられたときに、該低電力磁石２０に接触することがないように収納されている。
【００１２】
次に、本実施例の作用を説明する。ケース１２の本体１２Ａ内に、一組の振動板１４及び１６を収納し、ケース１２の平面部１２Ｂに背面側から、予め超音波接着した電力遮蔽用シート１８と低電力磁石２０を設け、最後に接着テープ２２を接着する。そして、接着テープ２２の剥離紙２４を剥がして、商品３０に磁気マーカ１０を接着する。なお、低電力磁石２０は、あらかじめ着磁されている。商品３０の購入者が、レジで商品３０の支払いを済ませると、レジの担当者は、図示しない消磁機などで磁気マーカ１０の低電力磁石２０の消磁を行う。低電力磁石２０が消磁すると、ケース１２内の振動板１４及び１６は振動を停止するため、商品３０を店外へ持ち出しても、出入口等に設けられた警報器が反応することはない。一方、商品３０の支払いをせずに、該商品３０を店外などに持ち出そうとすると、磁気マーカ１０の一組の振動板１４及び１６の磁歪振動が前記警報器などで検出され、警報音などの発生により、商品３０の不正持ち出しが周囲に知らされる。
【００１３】
このように、実施例１によれば、２枚の振動板１４及び１６をケース１２に内蔵することとしたので、低電力磁石２０が着磁している間は確実に振動し、不正持ち出し時の警報発生を促すことができるという効果がある。また、両面接着型の接着テープ２２を用いることで、磁気マーカ１０の組み立て及び商品３０への取り付けが容易になる。
【実施例２】
【００１４】
次に、図２を参照しながら、本発明の実施例２を説明する。なお、上述した実施例１と同一ないし対応する構成要素には、同一の符号を用いることとする。図２(A)に示す例の磁気マーカ４０は、ケース１２の本体１２Ａの表面に、複数の凸部４２を有するエンボス加工を縦（長手方向）設けた例であって、その他の基本構造は、前記実施例１と同様である。前記凸部４２は、例えば、高さＨが１ｍｍ，幅Ｗが２ｍｍ，隣接する凸部４２との間隔Ｉが５ｍｍ程度となるように形成されている。このように、本体１２Ａの表面全体に凹凸形状を設けることにより強度が増すため、本体１２Ａを外部から指などで押されても容易に凹むことがない。従って、内部の振動板１４及び１６の磁歪振動を強制的に停止させて持ち出しすることを防止できる。他の作用・効果は、上述した実施例１と同様である。また、図２(B)に示す磁気マーカ４０Ａのように、凸部４２を横（短手方向）に設けるようにしてもよいし、図２(C)に示す磁気マーカ４０Ｂのように、凸部４２を斜めに設けるようにしてもよく、あるいは、図２(A)〜(C)に示す例を組み合わせて凸部が交差するような形状としても、同様の効果が得られる。
【００１５】
なお、本発明は、上述した実施例に限定されるものではなく、本発明の要旨を逸脱しない範囲内において種々変更を加え得ることができる。例えば、以下のものも含まれる。
(1)前記実施例で示した形状，寸法，材質は一例であり、必要に応じて適宜変更可能である。例えば、振動板１４の湾曲具合も一例であり、磁気マーカ１０の形状や寸法に応じて適宜変更してよい。
(2)前記実施例２で示した凸部４２の形状も一例であり、同様の効果を奏するものであれば、その形状は適宜変更してよい。
(3)本発明の磁気マーカは、店舗の商品以外にも、物品の不正な持ち出しに対する監視や警告が必要な場合に広く適用可能である。
【産業上の利用可能性】
【００１６】
本発明によれば、ケース内に、アモルファス材料からなる２枚の振動板を振動可能に内蔵するとともに、これらを磁歪振動させるためのアモルファス材料からなる低電力磁石を設け、前記低電力磁石が消磁されない限り確実に振動を発することとしたので、物品の不正な持ち出しなどに対して警告を促すための磁気マーカの用途に適用できる。特に、小売店などからの商品の持ち出しを監視するシステムの用途に好適である。
【図面の簡単な説明】
【００１７】
【図１】本発明の実施例１を示す図であり、(A)は使用状態を示す外観斜視図，(B)は分解斜視図，(C)は前記(A)を＃Ａ−＃Ａ線に沿って切断し矢印方向に見た断面図である。
【図２】本発明の実施例２を示す外観斜視図である。
【符号の説明】
【００１８】
１０：磁気マーカ
１２：ケース
１２Ａ：本体
１２Ｂ：平面部
１４，１６：振動板
１８：電力遮蔽用シート
２０：低電力磁石
２２：接着テープ
２４：剥離紙
３０：商品
４０，４０Ａ，４０Ｂ：磁気マーカ
４２：凸部
【図１】
2007133695.tif 000003
【図２】
2007133695.tif 000004